(57)【要約】【課題】高いコストをかけることなく室内の美観を高めることができるような外観性に優れる室内装飾物を提供することを目的とする。【解決手段】任意のデザインが施された複数の装飾板材２，３，４，５を、互いに交差させて放射状に組み合わせてなる室内装飾物１であり、第１および第２基礎装飾板材２，３の細溝２Ａ，３Ａは、それぞれ第１および第２基礎装飾板材２，３の厚みと略等しい溝幅を有しており、これら第１および第２基礎装飾板材２，３と、中間装飾板材の各上側太溝２Ｂ，３Ｂ，４Ｂは、中間装飾板材４と、仕上げ装飾板材５の下側太溝４Ｃ，５Ｃと係合可能な溝幅を有している。これにより、複数の装飾板材を互いに交差させて確実に放射状に組み合わせることができるので、デザイン性を備えるとともに空間的な広がりを持たせることができ、外観性に優れるものとなる。【選択図】図７
2009012379.tif 000002
【特許請求の範囲】
【請求項１】
任意のデザインが施された複数の装飾板材を、互いに交差させて放射状に組み合わせてなり、
前記複数の装飾板材は、互いに直交して組み合わされる第１および第２基礎装飾板材と、これら第１および第２基礎装飾板材と交差して組み合わされる中間装飾板材と、これら第１および第２基礎装飾板材と中間装飾板材とに交差して組み合わされる仕上げ装飾板材とであり、
前記第１基礎装飾板材は、この第１基礎装飾板材の中心軸に沿って、上端部から下方に向かって所定長さに形成された第１上側太溝と、この第１上側太溝の下端部から連続し、下方に向かって所定長さに形成された第１細溝とを備えており、
前記第２基礎装飾板材は、この第２基礎装飾板材の中心軸に沿って、上端部から下方に向かって所定長さに形成された第２上側太溝と、第２基礎装飾板材の中心軸に沿って、下端部から上方に向かって所定長さに形成され、前記第１細溝に係合する第２細溝とを備えており、
前記中間装飾板材は、この中間装飾板材の中心軸に沿って、上端部から下方に向かって所定長さに形成された中間上側太溝と、中間装飾板材の中心軸に沿って、下端部から上方に向かって所定長さに形成され、互いに直交する前記第１および第２上側太溝に係合する中間下側太溝とを備えており、
前記仕上げ装飾板材は、この仕上げ装飾板材の中心軸に沿って、下端部から上方に向かって所定長さに形成され、互いに交差する前記第１および第２上側太溝と前記中間上側太溝とに係合する仕上げ下側太溝を備えており、
前記各細溝は、それぞれ前記第１および第２基礎装飾板材の厚みと略等しい溝幅を有しており、
前記各上側太溝は、これら各上側太溝を備えた各装飾板材と組み合わされる装飾板材の下側太溝と係合可能な溝幅を有しているとともに、前記各下側太溝は、これら各下側太溝を備えた各装飾板材と組み合わされる装飾板材の上側太溝と係合可能な溝幅を有していることを特徴とする室内装飾物。
【請求項２】
請求項１に記載の室内装飾物において、
前記複数の装飾板材の上端部および下端部のうち、少なくとも一方には、これら複数の装飾板材同士の間隔を取るための間隔部材が取り付けられており、
この間隔部材には、前記複数の装飾板材の厚みと略等しい溝幅を有して、複数の装飾板材に外嵌される溝部が周方向に沿って等間隔に複数形成されていることを特徴とする室内装飾物。
【請求項３】
請求項１または２に記載の室内装飾物において、
前記第１基礎装飾板材の上端部には、ワイヤーやチェーン等の索状体が接続される略環状の吊部が形成されていることを特徴とする室内装飾物。
【発明の詳細な説明】
【技術分野】
【０００１】
本発明は、任意のデザインが施された複数の装飾板材を、互いに交差させて放射状に組み合わせてなる室内装飾物に関する。
【背景技術】
【０００２】
従来、シャンデリアは、洋間に天井から吊り下げた飾り電燈として、その装飾性豊な豪華さと美しさを誇り、古くから照明器具としてだけでなく、室内の装飾物としても広く用いられてきた（例えば、特許文献１参照）。
また、特許文献１のシャンデリアに限られず、従来のシャンデリアは、例えば天井から吊り下げられたシャンデリア本体から、複数のアームを放射状に延出させるとともに、これらアームに、ガラスやクリスタル、金属片等からなる装飾体を複数吊り下げたり、先端にランプを取り付けたりすることによって、装飾性豊かであるとともに空間的な広がりを有している場合が多く、外観性に優れ、室内の美観を高めることが可能となっている。
【特許文献１】実開昭６３−０５５３１９号公報
【発明の開示】
【発明が解決しようとする課題】
【０００３】
ところが、従来のようなシャンデリアは、室内装飾物としての芸術的価値が高いとともに、例えばボヘミアンガラスやクリスタル、真鍮等、装飾体として用いられる材料が高価である場合が多いため、シャンデリア自体が高価である。また、取り付けられるランプも多いため消費される電力も多いなど、シャンデリアの取り付けには様々なコストを考慮しなければならない。このため、一般的な家庭では、従来のようなシャンデリアの取り付けは敬遠される場合が多かった。
しかしながら、近年、洋風建築の普及に伴って、室内の美観を高めることができるような外観性に優れる装飾物を取り付けたいという要望が高まっている。
【０００４】
本発明の課題は、高いコストをかけることなく室内の美観を高めることができるような外観性に優れる室内装飾物を提供することを目的とする。
【課題を解決するための手段】
【０００５】
請求項１に記載の発明は、室内装飾物１であり、例えば図１〜図７に示すように、任意のデザインが施された複数の装飾板材２，３，４，５を、互いに交差させて放射状に組み合わせてなり、
前記複数の装飾板材２，３，４，５は、互いに直交して組み合わされる第１および第２基礎装飾板材２，３と、これら第１および第２基礎装飾板材２，３と交差して組み合わされる中間装飾板材４と、これら第１および第２基礎装飾板材２，３と中間装飾板材４とに交差して組み合わされる仕上げ装飾板材５とであり、
前記第１基礎装飾板材２は、この第１基礎装飾板材２の中心軸に沿って、上端部から下方に向かって所定長さに形成された第１上側太溝２Ｂと、この第１上側太溝２Ｂの下端部から連続し、下方に向かって所定長さに形成された第１細溝２Ａとを備えており、
前記第２基礎装飾板材３は、この第２基礎装飾板材３の中心軸に沿って、上端部から下方に向かって所定長さに形成された第２上側太溝３Ｂと、第２基礎装飾板材３の中心軸に沿って、下端部から上方に向かって所定長さに形成され、前記第１細溝２Ａに係合する第２細溝３Ａとを備えており、
前記中間装飾板材４は、この中間装飾板材４の中心軸に沿って、上端部から下方に向かって所定長さに形成された中間上側太溝４Ｂと、中間装飾板材４の中心軸に沿って、下端部から上方に向かって所定長さに形成され、互いに直交する前記第１および第２上側太溝２Ｂ，３Ｂに係合する中間下側太溝４Ｃとを備えており、
前記仕上げ装飾板材５は、この仕上げ装飾板材５の中心軸に沿って、下端部から上方に向かって所定長さに形成され、互いに交差する前記第１および第２上側太溝２Ｂ，３Ｂと前記中間上側太溝４Ｂとに係合する仕上げ下側太溝５Ｃを備えており、
前記各細溝２Ａ，３Ａは、それぞれ前記第１および第２基礎装飾板材２，３の厚みと略等しい溝幅を有しており、
前記各上側太溝２Ｂ，３Ｂ，４Ｂは、これら各上側太溝２Ｂ，３Ｂ，４Ｂを備えた各装飾板材２，３，４と組み合わされる装飾板材４，５の下側太溝４Ｃ，５Ｃと係合可能な溝幅を有しているとともに、前記各下側太溝４Ｃ，５Ｃは、これら各下側太溝４Ｃ，５Ｃを備えた各装飾板材４，５と組み合わされる装飾板材２，３，４の上側太溝２Ｂ，３Ｂ，４Ｂと係合可能な溝幅を有していることを特徴とする。
【０００６】
請求項１に記載の発明によれば、前記各細溝２Ａ，３Ａは、それぞれ前記第１および第２基礎装飾板材２，３の厚みと略等しい溝幅を有しているので、これら第１細溝２Ａと第２細溝３Ａとを係合させることで、前記第１基礎装飾板材２と第２基礎装飾板材３とを確実に直交させて組み合わせることができる。
また、前記各上側太溝２Ｂ，３Ｂ，４Ｂは、これら各上側太溝２Ｂ，３Ｂ，４Ｂを備えた各装飾板材２，３，４と組み合わされる装飾板材４，５の下側太溝４Ｃ，５Ｃと係合可能な溝幅を有しているとともに、前記各下側太溝４Ｃ，５Ｃは、これら各下側太溝４Ｃ，５Ｃを備えた各装飾板材４，５と組み合わされる装飾板材２，３，４の上側太溝２Ｂ，３Ｂ，４Ｂと係合可能な溝幅を有しているので、各上側太溝２Ｂ，３Ｂ，４Ｂと各下側太溝４Ｃ，５Ｃとを係合させることで、前記第１および第２基礎装飾板材２，３と中間装飾板材４同士、さらに、前記仕上げ装飾板材５とを確実に交差させて組み合わせることができる。
したがって、任意のデザインが施された前記第１および第２基礎装飾板材２，３と、前記中間装飾板材４と、前記仕上げ装飾板材５とを、互いに交差させて確実に放射状に組み合わせることができるので、デザイン性を備えるとともに空間的な広がりを持たせることができ、外観性に優れるものとなる。そして、このような外観性に優れる室内装飾物１によれば、複数の装飾板材２，３，４，５を交差させているだけであるため、高いコストをかけることなく室内の美観を高めることが可能となる。
【０００７】
請求項２に記載の発明は、例えば図７に示すように、請求項１に記載の室内装飾物１において、
前記複数の装飾板材２，３，４，５の上端部および下端部のうち、少なくとも一方には、これら複数の装飾板材２，３，４，５同士の間隔を取るための間隔部材６が取り付けられており、
この間隔部材６には、前記複数の装飾板材２，３，４，５の厚みと略等しい溝幅を有して、複数の装飾板材２，３，４，５に外嵌される溝部６ａが周方向に沿って等間隔に複数形成されていることを特徴とする。
【０００８】
請求項２に記載の発明によれば、前記間隔部材６には、前記複数の装飾板材２，３，４，５の厚みと略等しい溝幅を有して、複数の装飾板材２，３，４，５に外嵌される溝部６ａが周方向に沿って等間隔に複数形成されているので、これら複数の溝部６ａを、前記複数の装飾板材２，３，４，５に外嵌することによって、前記複数の装飾板材２，３，４，５を等間隔に放射状に組み合わせることができ、より外観性に優れるものとなる。そして、この間隔部材６によって、前記複数の装飾板材２，３，４，５が等間隔に放射状に組み合わされた状態を維持することができる。
【０００９】
請求項３に記載の発明は、例えば図１および図８に示すように、請求項１または２に記載の室内装飾物１において、
前記第１基礎装飾板材２の上端部には、ワイヤーやチェーン等の索状体７が接続される略環状の吊部２ａが形成されていることを特徴とする。
【００１０】
請求項３に記載の発明によれば、前記第１基礎装飾板材２の上端部には、ワイヤーやチェーン等の索状体７が接続される略環状の吊部２ａが形成されているので、この吊部２ａに、前記索状体７を接続して前記第１基礎装飾板材２を天井等から吊り下げることによって、この第１基礎装飾板材２とともに、前記第２基礎装飾板材３と、前記中間装飾板材４と、前記仕上げ装飾板材５の全ての装飾板材２，３，４，５を天井等から吊り下げることができる。
【発明の効果】
【００１１】
本発明によれば、任意のデザインが施された第１および第２基礎装飾板材と、中間装飾板材と、仕上げ装飾板材とを、互いに交差させて確実に放射状に組み合わせることができるので、デザイン性を備えるとともに空間的な広がりを持たせることができ、外観性に優れるものとなる。そして、このような外観性に優れる室内装飾物によれば、複数の装飾板材を交差させているだけであるため、高いコストをかけることなく室内の美観を高めることが可能となる。
【発明を実施するための最良の形態】
【００１２】
以下、図面を参照して本発明の実施の形態について説明する。
【００１３】
本実施の形態の室内装飾物１は、図１〜図７に示すように、任意のデザインが施された複数の装飾板材２，３，４，５を、互いに交差させて放射状に組み合わせてなるものである。
また、前記複数の装飾板材２，３，４，５は、互いに直交して組み合わされる第１および第２基礎装飾板材２，３と、これら第１および第２基礎装飾板材２，３と交差して組み合わされる中間装飾板材４と、これら第１および第２基礎装飾板材２，３と中間装飾板材４とに交差して組み合わされる仕上げ装飾板材５とである。
【００１４】
なお、本実施の形態の複数の装飾板材２，３，４，５の材質は、紙製であるが、これに限られるものではなく、例えば木材や金属、ガラス、樹脂等からなるものでもよく、任意のデザインを施した状態を維持できるものであれば特に限定されるものではない。
【００１５】
また、各装飾板材２，３，４，５のデザインは、本実施の形態のように統一されたものでもよく、あえてデザインをバラバラにすることによって外観性の向上を図ったものであってもよい。
さらに、これら複数の装飾板材２，３，４，５の表面には、例えば色彩を施したり、スパンコール等の光を反射する材料を貼り付けたりして、外観性の向上を図ることが可能となっている。
【００１６】
そして、前記第１基礎装飾板材２は、図１に示すように、この第１基礎装飾板材２の中心軸に沿って、上端部から下方に向かって所定長さに形成された第１上側太溝２Ｂと、この第１上側太溝２Ｂの下端部から連続し、下方に向かって所定長さに形成された第１細溝２Ａとを備えている。
【００１７】
また、前記第２基礎装飾板材３は、図２に示すように、この第２基礎装飾板材３の中心軸に沿って、上端部から下方に向かって所定長さに形成された第２上側太溝３Ｂと、第２基礎装飾板材３の中心軸に沿って、下端部から上方に向かって所定長さに形成され、前記第１細溝２Ａに係合する第２細溝３Ａとを備えている。
【００１８】
前記中間装飾板材４は、図３に示すように、この中間装飾板材４の中心軸に沿って、上端部から下方に向かって所定長さに形成された中間上側太溝４Ｂと、中間装飾板材４の中心軸に沿って、下端部から上方に向かって所定長さに形成され、互いに直交する前記第１および第２上側太溝２Ｂ，３Ｂに係合する中間下側太溝４Ｃとを備えている。
【００１９】
さらに、前記仕上げ装飾板材５は、図４に示すように、この仕上げ装飾板材５の中心軸に沿って、下端部から上方に向かって所定長さに形成され、互いに交差する前記第１および第２上側太溝２Ｂ，３Ｂと前記中間上側太溝４Ｂとに係合する仕上げ下側太溝５Ｃを備えている。
【００２０】
ここで、前記第１および第２基礎装飾板材２，３に形成された各細溝２Ａ，３Ａは、それぞれ前記第１および第２基礎装飾板材２，３の厚みと略等しい溝幅を有しており、これら第１細溝２Ａと第２細溝３Ａとを係合させることによって、図５に示すように、前記第１基礎装飾板材２と第２基礎装飾板材３とを確実に直交させて組み合わせることができるようになっている。
【００２１】
また、前記各上側太溝２Ｂ，３Ｂ，４Ｂは、これら各上側太溝２Ｂ，３Ｂ，４Ｂを備えた各装飾板材２，３，４と組み合わされる装飾板材４，５の下側太溝４Ｃ，５Ｃと係合可能な溝幅を有しているとともに、前記各下側太溝４Ｃ，５Ｃは、これら各下側太溝４Ｃ，５Ｃを備えた各装飾板材４，５と組み合わされる装飾板材２，３，４の上側太溝２Ｂ，３Ｂ，４Ｂと係合可能な溝幅を有している。
これによって、各上側太溝２Ｂ，３Ｂ，４Ｂと各下側太溝４Ｃ，５Ｃとを係合させることで、図６および図７に示すように、前記第１および第２基礎装飾板材２，３と中間装飾板材４同士、また、前記仕上げ装飾板材５とを確実に交差させて組み合わせることができるようになっている。
【００２２】
一方、前記各細溝２Ａ，３Ａの長さは、図５に示すように、前記第１基礎装飾板材２と第２基礎装飾板材３とを、前記第１細溝２Ａと第２細溝３Ａとを係合させて組み合わせた際に、前記第１基礎装飾板材２の上下端部の位置と第２基礎装飾板材３の上下端部の位置とが揃うような長さである。つまり、長さが長すぎても短すぎても、前記第１基礎装飾板材２の上下端部の位置と第２基礎装飾板材３の上下端部の位置は揃わないようになっている。
【００２３】
また、前記各上側太溝２Ｂ，３Ｂ，４Ｂおよび各下側太溝４Ｃ，５Ｃの長さも同様に、図６および図７に示すように、前記第１および第２基礎装飾板材２，３と中間装飾板材４、仕上げ装飾板材５のそれぞれの上下端部の位置が揃うような長さである。
【００２４】
なお、前記各溝２Ａ，３Ａ，２Ｂ，３Ｂ，４Ｂ，４Ｃ，５Ｃ同士を係合する際の形態を詳細に説明しておく。本実施の形態においては、前記第１基礎装飾板材２と第２基礎装飾板材３とを例に挙げて説明する。
すなわち、前記各細溝２Ａ，３Ａは、図１および図２に示すように、それぞれ前記第１および第２基礎装飾板材２，３の厚みと略等しい溝幅を有しているので、前記第１基礎装飾板材２と第２基礎装飾板材３とを直交させて組み合わせるようにすると、図５に示すように、前記第１細溝２Ａおよび第２細溝３Ａも、互いに直交したような状態で嵌まり合うこととなる。
つまり、前記第１細溝２Ａは、前記第２基礎装飾板材３の第２細溝３Ａと第２上側太溝３Ｂとの間に位置する溝が形成されていない余白部分に外嵌し、前記第２細溝３Ａは、前記第１基礎装飾板材の第１細溝２Ａの下方に位置する溝が形成されていない余白部分に外嵌することとなる。その上、前記第１細溝２Ａの溝股部分と、前記第２細溝３Ａの溝股部分とが当接して重なり合っているような状態となっている。
このように前記第１および第２細溝２Ａ，３Ａ同士が係合する際は、前記第１細溝２Ａが、前記第２基礎装飾板材３に対して外嵌するとともに、前記第２細溝３Ａが、前記第１基礎装飾板材２に対して外嵌しており、しかも、前記第１基礎装飾板材２の上下端部の位置と、前記第２基礎装飾板材３の上下端部の位置は揃った状態となっている。
また、前記各上側太溝２Ｂ，３Ｂ，４Ｂと、各下側太溝４Ｃ，５Ｃ同士も同様に、溝同士が係合するようになっている。
【００２５】
さらに、これら各細溝２Ａ，３Ａ、各上側太溝２Ｂ，３Ｂ，４Ｂおよび各下側太溝４Ｃ，５Ｃの長さを調整することによって、使用する中間装飾板材４の枚数を増やして、本実施の形態の室内装飾物１に使用される装飾板材の総枚数を増やすことができるようになっている。
すなわち、前記第１および第２基礎装飾板材２，３は、これら第１および第２基礎装飾板材２，３同士を直交させて組み合わせることで、本実施の形態の室内装飾物１の基礎となる。したがって、これら第１および第２基礎装飾板材２，３の必要枚数は１枚ずつであり、増やすことも減らすこともできない。また、前記仕上げ装飾板材５も、複数の装飾板材２，３，４，５同士を組み合わせていく際に最後に組み合わされるものであるため、必要枚数は１枚であり、しかも上述のように上側太溝は形成されていないので、増やすことも減らすこともできない。
したがって、前記中間装飾板材４の枚数を増やして、本実施の形態の室内装飾物１に使用される装飾板材の総枚数を増やすことができる。
【００２６】
ここで、前記中間装飾板材４の枚数を増やすために、上述のように、前記各細溝２Ａ，３Ａと前記各上側太溝２Ｂ，３Ｂ，４Ｂおよび各下側太溝４Ｃ，５Ｃの長さを調整する際は、図示はしないが、例えば増やした中間装飾板材４同士を、それぞれ上側太溝４Ｂと下側太溝４Ｃとを係合させて組み合わせたときに、これら中間装飾板材４同士の上下端部の位置が揃うような長さに設定する。
また、これに合わせて、前記第１基礎装飾板材２の前記第１細溝２Ａおよび第１上側太溝２Ｂと、前記第２基礎装飾板材３の前記第２細溝３Ａおよび第２上側太溝３Ｂと、前記仕上げ装飾板材５の前記仕上げ下側太溝５Ｃのそれぞれの長さを調整する。そして、全ての装飾板材２，３，４，５を組み合わせたときに、これら全ての装飾板材２，３，４，５の上下端部の位置が揃っていればよい。
【００２７】
なお、このように使用する装飾板材の総枚数を増やす際は、前記各細溝２Ａ，３Ａの溝幅は、前記第１基礎装飾板材２と第２基礎装飾板材３とを確実に直交させて組み合わせることができる溝幅に設定されている。つまり、各細溝２Ａ，３Ａの溝幅は、それぞれ前記第１および第２基礎装飾板材２，３の厚みと略等しい溝幅を有している。
また、前記各上側太溝２Ｂ，３Ｂ，４Ｂおよび各下側太溝４Ｃ，５Ｃの溝幅は、上述のように、前記各上側太溝２Ｂ，３Ｂ，４Ｂは、これら各上側太溝２Ｂ，３Ｂ，４Ｂを備えた各装飾板材２，３，４と組み合わされる装飾板材４，５の下側太溝４Ｃ，５Ｃと係合可能な溝幅を有しているとともに、前記各下側太溝４Ｃ，５Ｃは、これら各下側太溝４Ｃ，５Ｃを備えた各装飾板材４，５と組み合わされる装飾板材２，３，４の上側太溝２Ｂ，３Ｂ，４Ｂと係合可能な溝幅を有している。つまり、これら各上側太溝２Ｂ，３Ｂ，４Ｂおよび各下側太溝４Ｃ，５Ｃの溝幅は、各装飾板材２，３，４，５同士を組み合わせることができるように、適宜変更されるようになっている。
【００２８】
一方、前記複数の装飾板材２，３，４，５の上端部および下端部のうち、少なくとも一方には、図７に示すように、これら複数の装飾板材２，３，４，５同士の間隔を取るための間隔部材６が取り付けられており、この間隔部材６には、前記複数の装飾板材２，３，４，５の厚みと略等しい溝幅を有して、複数の装飾板材２，３，４，５に外嵌される溝部６ａが周方向に沿って等間隔に複数形成されている。
【００２９】
すなわち、前記複数の溝部６ａを、前記複数の装飾板材２，３，４，５に外嵌することによって、前記複数の装飾板材２，３，４，５を等間隔に放射状に組み合わせることができ、より外観性に優れるものとなる。そして、この間隔部材６によって、前記複数の装飾板材２，３，４，５が等間隔に放射状に組み合わされた状態を維持することができる。
【００３０】
なお、前記第１基礎装飾板材２の上端部には、図１および図７に示すように、前記溝部６ａに対応する部分に、後述する略環状の吊部２ａが形成されており、この吊部２ａが、前記溝部６ａに対する被外嵌部の役割を果たしている。さらに、前記第２基礎装飾板材３と、中間装飾板材４と、仕上げ装飾板材５の上端部には、図２〜図４、図７に示すように、前記溝部６ａに対応する部分にそれぞれ被外嵌部３ａ，４ａ，５ａが形成されている。
また、本実施の形態の間隔部材６には、図７に示すように、その周方向に沿って突出部分が複数形成されており、この突出部分にそれぞれ前記溝部６ａが形成されている。この間隔部材６の形状はこれに限られるものではなく、適宜変更可能であることは言うまでもない。
また、前記複数の装飾板材２，３，４，５の下端部に間隔部材６を取り付ける場合は、前記複数の装飾板材２，３，４，５の下端部の形状に合った間隔部材６を用いるようにすることが望ましい。
【００３１】
一方、前記第１基礎装飾板材２の上端部に形成された前記吊部２ａは、ワイヤーやチェーン等の索状体７が接続されるものであり、この吊部２ａに、前記索状体７を接続して前記第１基礎装飾板材２を天井等から吊り下げることによって、この第１基礎装飾板材２とともに、前記第２基礎装飾板材３と、前記中間装飾板材４と、前記仕上げ装飾板材５の全ての装飾板材２，３，４，５を天井等から吊り下げることができる。
つまり、前記第２基礎装飾板材３と、中間装飾板材４と、仕上げ装飾板材５は、室内装飾物１として天井等から吊り下げられる際の影響を全く受けないで済むので、これら複数の装飾板材２，３，４，５が等間隔に放射状に組み合わされた状態を維持しやすい。
【００３２】
また、図１に示すように、前記第１基礎装飾板材２の下端部にも、ワイヤーやチェーン等の索状体７が接続される略環状の補助吊部２ｂが形成されており、図８に示すように、本実施の形態の室内装飾物１を、上下方向に連続させて吊り下げできる。
【００３３】
また、前記複数の装飾板材２，３，４，５には、図７に示すように、例えばろうそく型の装飾部材８や宝石型の装飾部材９が取り付けられており、外観性の向上を図ることが可能となっている。これら装飾部材８，９は、図１〜図４に示すように、前記複数の装飾板材２，３，４，５の所定の位置に形成された溝状取付部８ａや環状取付部９ａに取り付けられるようになっている。
【００３４】
次に、前記各装飾板材２，３，４，５の形成方法について説明する。本実施の形態においては、図９に示すように、前記第１基礎装飾板材２を例に挙げる。
【００３５】
この第１基礎装飾板材２は、例えば矩形状の板材１０を、前記第１基礎装飾板材２の型通りに切り抜いておき、組み立てる段階になってから型を抜くようにしている。
すなわち、形成された第１基礎装飾板材２の型は、例えばミシン目を形成するようにして前記板材１０とは完全に切り離されないようになっており、簡単に型を向くことができるようになっている。
【００３６】
なお、前記第１基礎装飾板材２だけでなく、その他の第２基礎装飾板材３や中間装飾板材４、仕上げ装飾板材５も同じように形成される。
また、前記ろうそく型の装飾部材８や宝石型の装飾部材９も同様であり、図９に示す板材１０の余白部分に、これら装飾部材８，９の型を切り抜くようにすると材料費の軽減を図ることができ、好ましい。
【００３７】
次に、本実施の形態の室内装飾物１の組立方法について説明する。
まず、前記複数の装飾板材２，３，４，５や間隔部材６、装飾部材８，９等を板材１０から抜いておき、ミシン目の部分を整形しておく。また、各装飾板材２，３，４，５の表面に色彩を施したり、スパンコール等を貼ったりする作業は、各装飾板材２，３，４，５を板材１０から切り抜いた後でもよいし、予め板材１０に施しておいてから各装飾板材２，３，４，５の型を形成するようにしてもよい。
【００３８】
そして、各装飾板材２，３，４，５を板材１０から切り抜いたら、図５に示すように、前記第１細溝２Ａと第２細溝３Ａとを係合させて、前記第１基礎装飾板材２と第２基礎装飾板材３とを直交するようにして組み合わせる。
続いて、前記第１上側太溝２Ｂおよび第２上側太溝３Ｂと、前記中間装飾板材４の中間下側太溝４Ｃとを係合させて、前記第１および第２基礎装飾板材２，３と、前記中間装飾板材４とを交差させるようにして組み合わせる。
続いて、前記第１上側太溝２Ｂおよび第２上側太溝３Ｂと、前記中間上側太溝４Ｂとに対して、前記仕上げ装飾板材５の仕上げ下側太溝５Ｃを係合させて、前記第１および第２基礎装飾板材２，３と、前記中間装飾板材４とに交差させるようにして組み合わせる。なお、この時、前記中間装飾板材４と仕上げ装飾板材５とは、互いに直交した状態となっている。
【００３９】
そして、前記複数の装飾板材２，３，４，５の上端部に、前記間隔部材６を取り付けて、これら複数の装飾板材２，３，４，５を等間隔に放射状に組み合わせる。
また、前記溝状取付部８ａや環状取付部９ａに、前記ろうそく型の装飾部材８や宝石型の装飾部材９を取り付ける。
【００４０】
以上のようにして、本実施の形態の室内装飾物１を組み立てできるようになっている。室内装飾物１の組み立て後は、前記第１基礎装飾板材２の上端部に形成された吊部２ａに、ワイヤーやチェーン等の索状体７を接続して、天井等から吊り下げるようにする。
なお、本実施の形態の室内装飾物１は、例えば前記複数の装飾板材２，３，４，５の下端部に、室内装飾物１を自立させることができる脚部を一体的に形成しておいて、机や棚の上に置いて飾るようにしてもよい。また、このように置く場合と、天井等から吊る場合の双方を考慮して、本実施の形態の室内装飾物１を安定的に載置できるような台座を製造しておくようにしてもよい。
【００４１】
本実施の形態によれば、任意のデザインが施された前記第１および第２基礎装飾板材２，３と、前記中間装飾板材４と、前記仕上げ装飾板材５とを、互いに交差させて確実に放射状に組み合わせることができるので、デザイン性を備えるとともに空間的な広がりを持たせることができ、外観性に優れるものとなる。そして、このような外観性に優れる室内装飾物１によれば、前記複数の装飾板材２，３，４，５を交差させているだけであるため、高いコストをかけることなく室内の美観を高めることが可能となる。
【図面の簡単な説明】
【００４２】
【図１】本発明に係る室内装飾物の一例を示すもので、第１基礎装飾板材の実施の形態を示す平面図である。
【図２】同、第２基礎装飾板材の実施の形態を示す平面図である。
【図３】同、中間装飾板材の実施の形態を示す平面図である。
【図４】同、仕上げ装飾板材の実施の形態を示す平面図である。
【図５】本発明に係る室内装飾物の組み立て過程の一例を示す斜視図である。
【図６】同、組み立て過程の一例を示す斜視図である。
【図７】本発明に係る室内装飾物を示す斜視図である。
【図８】図７に示す室内装飾物を上下に連続して吊り上げる際の実施の形態を示す斜視図である。
【図９】図１に示す第１基礎装飾板材の形成方法を示す平面図である。
【符号の説明】
【００４３】
１  室内装飾物
２  第１基礎装飾板材
２Ａ  第１細溝
２Ｂ  第１上側太溝
３  第２基礎装飾板材
３Ａ  第２細溝
３Ｂ  第２上側太溝
４  中間装飾板材
４Ｂ  中間上側太溝
４Ｃ  中間下側太溝
５  仕上げ装飾板材
５Ｃ  仕上げ下側太溝 
【図１】
2009012379.tif 000003
【図２】
2009012379.tif 000004
【図３】
2009012379.tif 000005
【図４】
2009012379.tif 000006
【図５】
2009012379.tif 000007
【図６】
2009012379.tif 000008
【図７】
2009012379.tif 000009
【図８】
2009012379.tif 000010
【図９】
2009012379.tif 000011